(57)【要約】【課題】シンチレータ等のアレイ型放射線検出器を有するガンマ線カメラ等で、入射放射線がコンプトン散乱を起こした場合、複数のピクセルで信号が検知され、その場合、最初に入射したピクセルの決定精度が低下することがある。 【解決手段】放射線計測装置は、放射線検出器２０１と、検出器より得られるピクセル毎の検出エネルギーと放射線が入射したピクセルの情報を取得する算出部２０２を有する。算出部は、ピクセルの検出信号をエネルギーに変換する変換部２０３と、算出部２０５と、判定部２０６と、判定部の判定より、放射線が最初に入射したピクセルの情報を取得する決定部２０７を有する。算出部２０５は、ピクセルの検出エネルギーから、該ピクセルでコンプトン散乱が発生したかどうかを判定するコンプトン散乱判定値を求める。判定部２０６は、コンプトン散乱判定値から、ピクセルでコンプトン散乱が発生したかを判定する。【選択図】図２
2016061584.tif 000002
【特許請求の範囲】
【請求項１】
複数のピクセルから成るアレイ型放射線検出器と、前記放射線検出器より得られるピクセル毎の検出エネルギーと放射線が入射したピクセルの情報を取得する放射線情報算出部を有する放射線計測装置であって、
前記放射線情報算出部は、
前記各ピクセルにおいて、検出した信号が所定の閾値以上であるピクセルについて前記検出信号をエネルギーに変換するエネルギー変換部と、
前記各ピクセルの検出エネルギーから、該ピクセルでコンプトン散乱が発生したかどうかを判定するためのコンプトン散乱判定値を求めるコンプトン散乱判定値算出部と、
前記コンプトン散乱判定値から、該ピクセルでコンプトン散乱が発生したかを判定するコンプトン散乱判定部と、
前記コンプトン散乱判定部の判定より、放射線が最初に入射したピクセルの情報を取得する放射線入射ピクセル決定部と、
を有することを特徴とする放射線計測装置。
【請求項２】
請求項１に記載の放射線計測装置において、更に前記ピクセル毎の検出エネルギーを記憶する記憶装置部を有することを特徴とする放射線計測装置。
【請求項３】
請求項１または２に記載の放射線計測装置において、前記コンプトン散乱判定値算出部は、各ピクセルについて、クライン-仁科の公式dσ/dΩ、入射エネルギーE０、検出エネルギーEγ、電子の静止エネルギーmc２を基にした次の式１のコンプトン散乱判定値ＣＳＶを求めることを特徴とする放射線計測装置。
2016061584.tif 000005
【請求項４】
請求項１または２に記載の放射線計測装置において、前記検出エネルギーと光電吸収及びコンプトン散乱の、光子と物質との相互作用が発生する確率の関係を記憶した記憶装置部を有することを特徴とする放射線計測装置。
【請求項５】
請求項４に記載の放射線計測装置において、前記コンプトン散乱判定値算出部は、各ピクセルにて発生する事象の種類をi、各事象の平均自由行程をmi、質量密度をρi、質量吸収係数をκi、ピクセル代表深さをtとしたときのコンプトン散乱が発生する確率Pcomp、光電吸収が発生する確率Pphotを用いた次の式２のコンプトン散乱判定値ＣＳＶを求めることを特徴とする放射線計測装置。
2016061584.tif 000006
【請求項６】
請求項１から５の何れか１項に記載の放射線計測装置において、前記コンプトン散乱判定部では、前記コンプトン散乱判定値が取りうる値の平均より大きい場合に該ピクセルでコンプトン散乱が発生したと判定することを特徴とする放射線計測装置。
【請求項７】
請求項１から５の何れか１項に記載の放射線計測装置において、前記コンプトン散乱判定値と共に、コンプトン散乱を判定するためにコンプトン散乱判定値が取りうる値の最小値から最大値の間にある任意の実数を発生させる乱数発生部を有し、前記コンプトン散乱判定部では、前記コンプトン散乱判定値と前記任意の実数から、コンプトン散乱判定値が前記実数より小さい場合に該ピクセルでコンプトン散乱が発生したと判定することを特徴とする放射線計測装置。
【請求項８】
請求項１または２に記載の放射線計測装置において、前記放射線入射ピクセル決定部では、検出したエネルギーが所定の閾値以上であるピクセルのうち、前記コンプトン散乱判定部においてコンプトン散乱が発生したと判定されたピクセルが１つの場合、該ピクセルを放射線が入射したピクセルと決定し、前記コンプトン散乱判定部においてコンプトン散乱が発生したと判定されたピクセルが複数ある場合、前記アレイ型放射線検出器の表面中心に最も近いピクセルを放射線が入射したピクセルと決定し、前記コンプトン散乱判定部においてコンプトン散乱が発生したと判定されたピクセルが１つも無い場合、判定に用いたピクセルの内、検出エネルギーが最も小さいピクセルを放射線が入射したピクセルと決定することを特徴とする放射線計測装置。
【請求項９】
請求項１または２に記載の放射線計測装置において、前記放射線入射ピクセル決定部では、検出したエネルギーが所定の閾値以上であるピクセルにおいて、前記コンプトン散乱判定値算出部にて求められた該ピクセルの間のコンプトン散乱判定値の大きさの比を、放射線が入射したピクセルである確率の大きさの比とすることを特徴とする放射線計測装置。
【請求項１０】
請求項１から９の何れか１項に記載の放射線計測装置において、前記放射線はガンマ線であることを特徴とする放射線計測装置。
【請求項１１】
複数のピクセルから成るアレイ型放射線検出器より得られるピクセル毎の検出エネルギーと放射線が入射したピクセルの情報を取得する放射線計測方法であって、
前記各ピクセルにおいて、検出した信号が所定の閾値以上であるピクセルについて前記検出信号をエネルギーに変換する工程と、
前記各ピクセルの検出エネルギーから、該ピクセルでコンプトン散乱が発生したかどうかを判定するためのコンプトン散乱判定値を求める工程と、
前記コンプトン散乱判定値から、該ピクセルでコンプトン散乱が発生したかを判定する工程と、
前記コンプトン散乱判定の工程の判定より、放射線が最初に入射したピクセルの情報を取得する工程と、
を有することを特徴とする放射線計測方法。
【発明の詳細な説明】
【技術分野】
【０００１】
本発明は、複数ピクセルから成るアレイ型ガンマ線検出器などの放射線検出器におけるガンマ線等の放射線の入射位置情報を取得して放射線の情報を取得する放射線計測方法及びその装置に関するものである。
【背景技術】
【０００２】
複数ピクセルから成るアレイ型のガンマ線検出器では、ガンマ線が入射したピクセル内部でコンプトン散乱を起こした場合、隣接ピクセルへガンマ線が到達することにより複数ピクセルで信号が検出されることがある。その場合、外部からガンマ線が入射した位置（ピクセル）がどちらかを判別することが困難となる。ガンマ線の入射位置（ピクセル）はこれまで様々な方法により決定されている。例えば、検出されたガンマ線の全エネルギーが５１１keV以下の場合、コンプトン散乱が一回発生したピクセルで検出されるエネルギーの最大値は入射ガンマ線の２分の１以下になる。このことから、信号が検出されたピクセルが２つある場合、検出エネルギーの低い方、すなわちコンプトン散乱を起こしたピクセルをガンマ線が入射したピクセルと判定する（特許文献１参照）。
【先行技術文献】
【特許文献】
【０００３】
【特許文献１】米国特許第６５１２２３２号
【発明の概要】
【発明が解決しようとする課題】
【０００４】
しかしながら、入射するガンマ線のエネルギーによっては、コンプトン散乱を起こしたピクセルの検出エネルギーの方が、光電吸収が発生したピクセルの検出エネルギーよりも大きくなる場合がある。また、複数回コンプトン散乱が生じた場合には３つ以上のピクセルで信号が検出されることになる。
【０００５】
そこで、本発明は、次の仕方で、放射線が最初に入射したピクセルの情報を取得して放射線の情報を取得する方法及び装置を提供することを目的とする。すなわち、複数ピクセルから信号が検出された場合には、該ピクセルでコンプトン散乱が発生したかどうかを判定するためのコンプトン散乱判定値を導入する。そして、コンプトン散乱が発生したと判定されたピクセルの情報から放射線が最初に入射した入射位置の情報を取得する。
【課題を解決するための手段】
【０００６】
上述した課題に鑑み、複数のピクセルから成るアレイ型放射線検出器と、前記放射線検出器より得られるピクセル毎の検出エネルギーと放射線が入射したピクセルの情報を取得する放射線情報算出部を有する本発明の放射線計測装置は次の特徴を有する。すなわち、前記放射線情報算出部は、前記各ピクセルにおいて、検出した信号が所定の閾値以上であるピクセルについて前記検出信号をエネルギーに変換するエネルギー変換部と、前記各ピクセルの検出エネルギーから、該ピクセルでコンプトン散乱が発生したかどうかを判定するためのコンプトン散乱判定値を求めるコンプトン散乱判定値算出部と、前記コンプトン散乱判定値から、該ピクセルでコンプトン散乱が発生したかを判定するコンプトン散乱判定部と、前記コンプトン散乱判定部の判定より、放射線が最初に入射したピクセルの情報を取得する放射線入射ピクセル決定部と、を有する。
【発明の効果】
【０００７】
本発明に依れば、アレイ型放射線検出器を構成する複数ピクセルの内、放射線が最初に入射した入射位置の情報の決定精度が向上することで、結果として放射線の到来方向の決定精度が向上する。
【図面の簡単な説明】
【０００８】
【図１】本発明の実施形態１のガンマ線入射ピクセル決定方法のフローチャート。
【図２】本発明の実施形態１のシステム構成例の模式図。
【図３】複数ピクセルでガンマ線が検出される事象の模式図。
【図４】本発明の実施形態１にある微分散乱断面積の検出エネルギー依存性図。
【図５】本発明の実施形態２のシステム構成例の模式図。
【図６】本発明の実施形態３のシステム構成例の模式図。
【図７】本発明の実施形態３にある相互作用発生確率の検出エネルギー依存性図。
【図８】本発明の実施形態４のシステム構成例の模式図。
【図９】本発明の実施例１のモンテカルロシミュレーションモデルの模式図。
【発明を実施するための形態】
【０００９】
本発明では、各ピクセルの検出エネルギーから、該ピクセルでコンプトン散乱が発生したかどうかを判定するためのコンプトン散乱判定値を求め、コンプトン散乱判定値から、該ピクセルでコンプトン散乱が発生したかを判定する。そして、該判定より、放射線が最初に入射したピクセルの情報を取得する。シンチレータ等のアレイ型の放射線検出器を有するガンマ線カメラなどにおいて、入射した放射線がコンプトン散乱を起こした場合、複数のピクセルで信号が検知されることがある。その場合、最初に入射したピクセルの決定精度が低下することになりやすいが、本発明では、各ピクセルの検出エネルギーからコンプトン散乱判定値を求め確率的にコンプトン散乱が発生したのかを判定し、放射線が最初に入射したピクセルの情報を取得する。
【００１０】
以下の実施形態及び実施例を説明する。この説明では、放射線はガンマ線であるとして説明するが、コンプトン散乱を起こすのに充分なエネルギーを持つその他の放射線であっても計測原理は同じである。
【００１１】
（実施形態１）
図１〜図３を使用して本発明の実施形態１について説明する。図１は本発明のガンマ線入射ピクセルの決定方法のフローチャートである。また、図２は、実施形態１の放射線情報算出部であるガンマ線情報算出部２０２を有するシステム構成例である。図３はガンマ線が或るピクセルに入射しコンプトン散乱が発生したことにより、複数のピクセルで信号が検出される事象の例を模式的に示したものである。
【００１２】
図１の工程１０１は、図２のガンマ線検出器２０１の各ピクセルにおけるコンプトン散乱や光電吸収などの事象発生に伴う信号を検出する工程である。複数ピクセルで信号が検出される事象の例を図３に示す。この例では、ガンマ線が或るピクセル３０１に入射し、ピクセル内部でコンプトン散乱を起こした場合、コンプトン散乱点では反跳電子と散乱ガンマ線が発生する。反跳電子は、ガンマ線が入射したピクセル内で吸収される。一方、散乱ガンマ線は入射したピクセルとは異なるピクセル３０２まで到達し、光電吸収によってエネルギーを全て失う。この事象の場合、２つのピクセルで信号が検出される。
【００１３】
続いて、図１の工程１０２は、信号が検出された前記ピクセルからの信号が或る閾値を超えたピクセルについて、信号値をエネルギーに換算し記憶する工程である。図３の事象の場合、２つのピクセルの信号値が或る閾値を超えていれば２つのピクセルの検出信号を図２の２０３のエネルギー変換部でエネルギーに換算し、図２の２０４の記憶装置部で記憶する。信号値とは、例えば前記ガンマ線検出器がシンチレータ及び光電子増倍管から構成されている場合、波高値（即ち、信号の最大値の情報）である。
【００１４】
図１の工程１０３は前記検出エネルギーからコンプトン散乱判定値を求める工程である。前記記憶装置部にあるピクセルのエネルギーから、図２の２０５のコンプトン散乱判定値算出部にてコンプトン散乱判定値ＣＳＶを次式の式１で求める。
【００１５】
【数１】
2016061584.tif 000003
【００１６】
ここで、公式dσ/dΩはクライン-仁科の公式である。ガンマ線検出器２０１に入射したガンマ線の入射エネルギーE０は、全ピクセルの総エネルギーから求めることが出来る。Eγは、ある１つのピクセルでの検出エネルギーとする。mc２は、電子の静止エネルギーmc２である。dσ/dΩ（Eγ）は、Eγのエネルギーを持ったガンマ線についての微分散乱断面積であり、dσ/dΩ（E０-Eγ）は、残りのエネルギーを持ったガンマ線と仮定した時の微分散乱断面積である。このように仮定する根拠は、はじめは、どのピクセルでコンプトン散乱が発生したかは不明なので、取りあえずガンマ線のコンプトン散乱と仮定することにある。この仮定は、その後の検証で、効果ありと確認される。
【００１７】
図４に、入射ガンマ線のエネルギーE０が６６２keVの時のdσ/dΩ（Eγ）とdσ/dΩ（E０−Eγ）の関係を示す。検出エネルギーEγを散乱ガンマ線のエネルギーと仮定すると、E０-Eγは反跳電子のエネルギーに相当するが、本実施形態におけるコンプトン散乱判定値としては、上述した様に、ガンマ線に対する微分散乱断面積（クライン−仁科公式）を適用する。
【００１８】
図１の工程１０４は、前記コンプトン散乱判定値から、該ピクセルでコンプトン散乱が発生したかどうかを判定する工程であり、図２の２０６のコンプトン散乱判定部にてコンプトン散乱の発生有無を判定する。例えば、前記の式１のＣＳＶは０から１までの間の値を取る。よって、ＣＳＶが０.５以上の時、すなわちdσ/dΩ（E０−Eγ）がdσ/dΩ（Eγ）よりも大きい時、該ピクセルでは反跳電子由来の散乱確率の方が大きいと判断し、該ピクセルでコンプトン散乱が発生したと判定する。つまり、コンプトン散乱判定部では、コンプトン散乱判定値が取りうる値の平均より大きい場合に該ピクセルでコンプトン散乱が発生したと判定する。本実施形態の場合、検出エネルギーが入射エネルギーの２分の１以下のピクセルではdσ/dΩ（E０−Eγ）の方が大きい、つまりコンプトン散乱が発生したと判定される。図４は、このことを示しており、検出エネルギーがほぼ３３１keV以下の場合、dσ/dΩ（E０−Eγ）がdσ/dΩ（Eγ）より大きい。
【００１９】
図１の工程１０５は、ガンマ線が入射したピクセルを決定する工程である。ここでは、検出したエネルギーが所定の閾値以上であるピクセルのうち、コンプトン散乱判定部においてコンプトン散乱が発生したと判定されたピクセルが１つの場合、該ピクセルを放射線が入射したピクセルと決定する。しかし、コンプトン散乱が発生したと判定されたピクセルが複数ある場合、それらピクセルからガンマ線が入射したピクセルを決定する。ここでは、図２の２０７の放射線入射ピクセル決定部であるガンマ線入射ピクセル決定部にて、コンプトン散乱が発生したと判定されたピクセルの内、アレイの表面中心に最も近いピクセルをガンマ線が入射したピクセルと決定する。これは、線源に対してガンマ線検出器を配置する際、線源ができるだけアレイ表面中心から表面に垂直な軸上に沿った位置に配置することを想定している。その場合、前記ガンマ線検出器へのガンマ線総入射本数に対して中央に位置するピクセルの方が周辺に位置するピクセルよりも入射本数が多くなる。
【００２０】
一方、コンプトン散乱が発生したと判定されたピクセルが１つも無い場合は、判定に用いたピクセルの内、検出エネルギーが最も小さいピクセルをガンマ線が入射したピクセルと判定する。これは、図４から検出エネルギーが小さい方が反跳電子のエネルギー由来である確率が高く、該ピクセルでコンプトン散乱が発生した可能性が他の該当ピクセルよりも高いという考えからである。このことは、ガンマ線が進むにつれて、後の方のピクセルの検出エネルギーが大きくなることを示す阻止能に対する理論式によっても保証される。
【００２１】
あるいは、図１の工程１０５において１つのピクセルをガンマ線が入射したピクセルであると決定せず、前記各ピクセルのコンプトン散乱判定値の大きさの比を、該ピクセルが入射ピクセルである確率の大きさの比であるとしてもよい。このようにした場合、ガンマ線の到来方向の推定結果にも、確率的な重みを付加してもよい。
【００２２】
以上の結果に基づき、例えば、画像再構成装置で各入射ガンマ線の入射方向ベクトルなどから放射線源の分布を画像データ化し、表示装置によって、この画像データに基づく強度分布を濃淡や色の違いによって表示することができる。
【００２３】
（実施形態２）
次に、図５を用いて本発明の実施形態２について説明する。実施形態１と異なる箇所は、図１の工程１０４のコンプトン散乱判定値からコンプトン散乱が発生したかを判定する工程である。前記コンプトン散乱判定値ＣＳＶは０から１までの間の値になるので、図５の５０６の乱数発生部にて、０から１までの間で実数の乱数を発生させる。そして、図５の５０７のコンプトン散乱判定部にて、前記乱数値がＣＳＶより小さければコンプトン散乱が発生したと判定する。すなわち、コンプトン散乱判定値と共に、コンプトン散乱を判定するためにコンプトン散乱判定値が取りうる値の最小値から最大値の間にある任意の実数を発生させる。そして、コンプトン散乱判定部では、コンプトン散乱判定値と任意の実数から、コンプトン散乱判定値が前記実数より小さい場合に該ピクセルでコンプトン散乱が発生したと判定する。なお、図５において、５０１はガンマ線検出器、５０２はガンマ線情報算出部、５０３はエネルギー変換部、５０４は記憶装置部、５０５はコンプトン散乱判定値算出部、５０８はガンマ線入射ピクセル決定部である。
【００２４】
（実施形態３）
続いて、図６及び図７を用いて本発明の実施形態３について説明する。実施形態１と異なる箇所は、検出エネルギーからコンプトン散乱判定値を求める工程１０３である。記憶装置部６０４に記憶されているピクセル毎のエネルギーをもとにコンプトン散乱判定値算出部６０６にてコンプトン散乱判定値ＣＳＶを次の式２で求める。
【００２５】
【数２】
2016061584.tif 000004
【００２６】
ここで、確率Pcomp、確率Pphotは、平均自由行程をmi、質量密度をρi、質量吸収係数をκi、ピクセル代表深さ（ピクセルアレイの放射線入射面に垂直な方向のピクセルの高さ）をtとした時のコンプトン散乱、光電吸収が発生する確率である。iは、各ピクセルにて発生する事象の種類である。両者の相互作用発生確率の大きさの比をコンプトン散乱判定値とし、該ピクセルでコンプトン散乱が発生したかどうかを判定する。その際、前記相互作用確率は、ガンマ線検出器の種類や形状によって異なる質量密度や代表深さだけでなく、ガンマ線のエネルギーにも依存する。そのため前記相互作用確率は、予め図７に示す相互作用発生確率のデータとして相互作用確率記憶装置部６０５に収めておく。その際、各ピクセルの検出エネルギーに応じて質量吸収係数κを変更し、前記式２を用いて相互作用発生確率を算出する。このように、本実施形態では、検出エネルギーと光電吸収、コンプトン散乱など光子と物質との相互作用が発生する確率の関係を記憶した記憶装置部を備える。なお、図６において、６０１はガンマ線検出器、６０２はガンマ線情報算出部、６０３はエネルギー変換部、６０７はコンプトン散乱判定部、６０８はガンマ線入射ピクセル決定部である。
【００２７】
最後に、図８を用いて本発明の実施形態４について説明する。実施形態３と異なる箇所は、コンプトン散乱判定値からコンプトン散乱が発生したかを判定する工程１０４である。前記式２のコンプトン散乱判定値ＣＳＶは０から１までの間の値になるので、乱数発生部８０７にて０から１までの間で実数の乱数を発生させ、コンプトン散乱判定部８０８でその乱数値がＣＳＶより小さければコンプトン散乱が発生したと判定する。なお、図８において、８０１はガンマ線検出器、８０２はガンマ線情報算出部、８０３はエネルギー変換部、８０４は記憶装置部、８０５は相互作用確率記憶装置部、８０６はコンプトン散乱判定値算出部、８０８はガンマ線入射ピクセル決定部である。
【００２８】
（実施例１）
以下に本発明の実施例を示す。図９は、検証用のシミュレーションモデルである。８×８のピクセルから成るアレイ型シンチレータの表面の中央直上に点線源を置き、シンチレータ表面に到達する範囲内でランダムな方向に６６２keVのガンマ線を１０万本入射した時のモンテカルロシミュレーションを実施した。ここで、シンチレータはGSOを想定し代表深さは１３mmとした。また、検出エネルギーの下限となる閾値は５０keVとした。１０万本入射のシミュレーション結果の内、シンチレータ内部でコンプトン散乱と光電吸収が生じたイベントのみを抽出する。そして、検出ピクセルの位置番号（i,j）と検出エネルギーEγを昇順に並び変えた。ここでは、シンチレータが８×８のピクセルから成るので、事象毎にピクセル（i,j）の情報（位置番号と検出エネルギー）を（i*８+j）行目に記述した。
【００２９】
その上で、前記ガンマ線入射ピクセル決定方法により決定したピクセルと、シミュレーションの結果から、前記各実施形態の決定精度を評価した。シミュレーション結果では、コンプトン散乱と光電吸収が共に生じたイベント数は１１１９８であった。その内、同一ピクセル内でコンプトン散乱が複数回発生することにより、該ピクセルでの吸収エネルギー合計が大きくなっているイベントも多くある。従って、コンプトン散乱が同一ピクセル内で複数回生じた場合にはコンプトン散乱判定値の確度が低下すると考えられ、前記各実施形態による決定方法での下記の正答数は、上記イベント数よりも小さい値であると推測される。
【００３０】
本発明の実施形態１による決定方法での正答数は３９１５であり、一方、最も検出エネルギーが小さいピクセルをガンマ線入射ピクセルと決定する特許文献１とほぼ同じ判定条件での正答数は３７７９であった。よって、ガンマ線入射ピクセルの決定精度の向上が確認できた。なお、上述した様に、不正解のイベントは、例えば同一ピクセル内でコンプトン散乱が複数回発生することなどにより、該ピクセルの吸収エネルギーが大きくなり、コンプトン散乱判定値が小さくなったと考えられる。
【００３１】
本発明の実施形態２による決定方法での正答数は、４４４８であった。本発明の実施形態３による決定方法での正答数は、６８４５であった。本発明の実施形態４による決定方法での正答数は、５２６５であった。これらについても、ガンマ線入射ピクセルの決定精度の向上が確認できた。
【００３２】
（他の実施形態）
本発明の目的は、以下の放射線計測方法の実施形態によって達成することもできる。即ち、前述した実施形態の機能（ガンマ線情報算出部などの機能）を実現するソフトウェアのプログラムコードを格納した記憶媒体を、放射線計測装置やガンマカメラなどに供給する。ネットを介してソフトウェアのプログラムコードを供給することもできる。そして、ガンマ線情報算出部のコンピュータ（またはＣＰＵ、ＭＰＵなど）がプログラムコードを読み出し前記機能を実行する。この場合、プログラムコード自体が前記実施形態の機能を実現することになり、放射線計測を行うためのプログラムやこれを格納した記憶媒体は、本発明を構成することになる。詳細には、複数のピクセルから成るアレイ型放射線検出器より得られるピクセル毎の検出エネルギーと放射線が入射したピクセルの情報を取得する本実施形態の放射線計測方法は少なくとも次のステップを有する。前記各ピクセルにおいて、検出した信号が所定の閾値以上であるピクセルについて前記検出信号をエネルギーに変換する工程。前記各ピクセルの検出エネルギーから、該ピクセルでコンプトン散乱が発生したかどうかを判定するためのコンプトン散乱判定値を求める工程。前記コンプトン散乱判定値から、該ピクセルでコンプトン散乱が発生したかを判定する工程。前記コンプトン散乱判定の工程の判定より、放射線が最初に入射したピクセルの情報を取得する工程。
【００３３】
本発明による放射線計測の技術は、環境放射線計測や核医学診断等を行うガンマカメラなどに用いることができる。また、本発明の好ましい実施形態について説明したが、本発明はこれらの実施形態に限定されず、その要旨の範囲内で種々の変形及び変更が可能である。
【符号の説明】
【００３４】
２０１・・アレイ型放射線検出器（ガンマ線検出器）、２０２・・放射線情報算出部（ガンマ線情報算出部）、２０３・・エネルギー変換部、２０４・・記憶装置部、２０５・・コンプトン散乱判定値算出部、２０６・・コンプトン散乱判定部、２０７・・放射線入射ピクセル決定部（ガンマ線入射ピクセル決定部）、９０１・・ピクセル
【図１】
2016061584.tif 000007
【図２】
2016061584.tif 000008
【図３】
2016061584.tif 000009
【図４】
2016061584.tif 000010
【図５】
2016061584.tif 000011
【図６】
2016061584.tif 000012
【図７】
2016061584.tif 000013
【図８】
2016061584.tif 000014
【図９】
2016061584.tif 000015